(57)【特許請求の範囲】
【請求項１】
建物の屋根棟部に沿って設置される散水用配管から屋根面に散水する屋根散水装置であって、
散水用配管からの水を屋根面の略全面に渡って分散可能であり、且つ、前記配管が設置された屋根棟部を防水状態にして覆う棟カバーを有してなり、
前記棟カバーが、屋根の野地板の棟部分を覆う棟包み材に取り付けられるカバー材受けと、散水用配管を収容可能にしてカバー材受けに取り付けられる長尺のカバー材本体とからなり、前記散水用配管が、建物内から屋根棟部とカバー材受けとを貫通する立上げ管に接続されており、
前記カバー材受けとカバー材本体との間に形成された空間部下方の棟方向全長に渡って、地盤面に対して略水平な抵抗板と、抵抗板の水下側には屋根面に対して略垂直方向の複数の仕切り板とを備え、各仕切り板には互いに千鳥状に位置ずれした通孔が形成されていることを特徴とする屋根散水装置。
【発明の詳細な説明】
【０００１】
【発明の属する技術分野】
この発明は、建物の屋根面に水を散布する屋根散水装置に関する。
【０００２】
【従来の技術】
従来の屋根散水装置としては、登録実用新案第３０３００３０号公報（平成８年７月３１日）に記載されたものが知られている。上記公報記載の屋根散水装置は、建物屋根に降りそそぐ雨水を貯留し、屋根棟部に散水管を設置し、貯留した雨水をポンプアップして屋根に散水循環せしめるものである。
【０００３】
【発明が解決しようとする課題】
しかしながら、上記公報に記載の屋根散水装置においては、屋根棟部に散水管が、そして建物外壁には立上げ管が露出配管されているので、これら配管が露出することで建物の美観が損なわれるという問題と、上記立上げ管を建物内部から屋根棟部を貫通して設けると、この貫通部から雨水が浸入して屋根の防水性を損なうという問題がある。
【０００４】
本発明は、上記従来技術の問題を解決するためになされたものであって、建物の美観や防水性を損なうことのない屋根散水装置を提供することを目的としている。
【０００５】
【課題を解決するための手段】
請求項１記載の本発明は、建物の屋根棟部に沿って設置される散水用配管から屋根面に散水する屋根散水装置であって、散水用配管からの水を屋根面の略全面に渡って分散可能であり、且つ、前記配管が設置された屋根棟部を防水状態にして覆う棟カバーを有してなり、前記棟カバーが、屋根の野地板の棟部分を覆う棟包み材に取り付けられるカバー材受けと、散水用配管を収容可能にしてカバー材受けに取り付けられる長尺のカバー材本体とからなり、前記散水用配管が、建物内から屋根棟部とカバー材受けとを貫通する立上げ管に接続されており、前記カバー材受けとカバー材本体との間に形成された空間部下方の棟方向全長に渡って、地盤面に対して略水平な抵抗板と、抵抗板の水下側には屋根面に対して略垂直方向の複数の仕切り板とを備え、各仕切り板には互いに千鳥状に位置ずれした通孔が形成されていることを特徴とする。
【０００８】
（作用）
請求項１記載の屋根散水装置においては、散水用配管からの水を屋根面の略全面に渡って分散可能な棟カバーを有しているので、屋根全面に渡って均一に散水できる。
そして、上記棟カバーは、前記配管が設置された屋根棟部を覆うので、散水用配管が露出せず建物の美観を損なわい。
また、棟カバーが屋根棟部を防水状態にして覆っているので、風雨により雨水が逆流して屋根の棟部内に浸入することはなく、防水性を確保できる。
さらに、棟カバーが、屋根の野地板の棟部分を覆う棟包み材に取り付けられるカバー材受けと、散水用の配管を収容可能にしてカバー材受けに取り付けられる長尺のカバー材本体とからなるので、棟カバーを強固に屋根棟部に取り付けることができる。
そして、前記散水用配管が、建物内から屋根棟部とカバー材受けとを貫通する立上げ管に接続されているので、散水用配管と立上げ管のいずれもが外部に露出せず建物の美観を損なわい。
さらに、カバー材受けとカバー材本体との間に形成された空間部下方の棟方向全長に渡って、地盤面に対して略水平な抵抗板と、抵抗板の水下側には屋根面に対して略垂直方向の複数の仕切り板とを備え、各仕切り板には互いに千鳥状に位置ずれした通孔が形成されているので、配管からの水がジグザグ状に分散・流下して流速が減じられ、屋根全面に渡って均等に散水できることとなり、夏場の屋根面の冷却を効率的に行い得る。
一方、屋根面の下方から吹き上げる雨水は、前記通孔が千鳥状に位置ずれして形成されていることでその運動エネルギーが減じられ、通孔を通って浸入する雨水を削減する。
そして、仕切り板の水上側には地盤面に対して略水平な抵抗板を備えているので、仕切り板の通孔を通って浸入しても雨水がこの抵抗板に遮られ、棟部内に浸入することなく、防水性を一層確実なものとする。
【００１１】
【発明の実施の形態】
以下、図面を参照して、この発明の実施の形態について説明する。説明は、実施例を用いて具体的に行う。
図１〜図３は、本発明の一実施例であって、図１は屋根散水装置が設置された建物の斜視図、図２は図１の屋根散水装置の断面図、図３はカバー材本体を取り外して示す屋根散水装置の斜視図である。
図１において、１は建物、２は屋根、３は屋根散水装置である。
【００１２】
本実施例の屋根散水装置３は、図１に示すように、建物１の屋根２棟部に沿って設置される散水用配管４を備え、この配管４からの水Ｗを屋根２面に散水するものである。
そして、上記屋根散水装置３は、上記配管４からの水Ｗを屋根２面の略全面に渡って分散可能であり、前記配管４が設置された屋根２棟部を防水状態にして覆う棟カバー５を有している。
【００１３】
上記棟カバー５は、図２に示すように、屋根２の野地板８の棟部分を覆う棟包み材９（厚さ０．４ｍｍの塩化ビニル鋼板製）に取り付けられるカバー材受け６と、散水用配管４を収容可能にしてカバー材受け６に取り付けられる長尺のカバー材本体７とから構成されている。
そして、前記散水用配管４は、建物１内から屋根２棟部とカバー材受け６とを貫通する立上げ管４Ａに接続されている。
上記散水用配管４と、立上げ管４Ａは、いずれも、口径２０ｍｍの架橋ポリエチレン管であって、立上げ管４Ａは、不図示の雨水貯留タンクからポンプアップされて雨水を散水用配管４まで導く。
【００１４】
カバー材受け６は、頂部が平坦な断面山型の長尺アルミニウム製型材で形成されていて、前記カバー材受け６とカバー材本体７との間に形成された空間部下方の棟方向全長に渡って、地盤面に対して略水平な抵抗板５４と、この抵抗板５４の水下側には屋根２面に対して略垂直な複数の仕切り板５１、５２、５３とを備えている。
また、上記カバー材受け６の頂部には、先端が鍵型になされた取付け板５５が、間隔を設けて立設されている。
【００１５】
上記仕切り板５１、５２、５３には、図３に示すように、それぞれ、四角形に開口された多数の通孔５１１、５１１、・・、５２１、５２１、・・、５３１、５３１、・・が形成されている。
上記仕切り板５１の通孔５１１と仕切り板５２の通孔５２１とは、互いに千鳥状に位置ずれして形成され、仕切り板５３の通孔５３１は、前記通孔５１１、５２１より巾とピッチを小にすることでその数を多くして形成されている。
【００１６】
上記カバー材受け６に取り付けられるカバー材本体７は、長尺アルミニウム製型材で形成され、図２に示すように、断面山型の本体上部７１と、この本体上部７１の先端下方に連続して設けられた本体下部７２とからなっている。
そして、本体上部７１の裏面側に垂設された先端が鍵型の取付け片７３が、前記カバー材受け６の取付け片５５と嵌合状態で取り付けられ、本体下部７２が前記カバー材受け６の仕切り板５１、５２、５３に当接され、仕切り板５１にビス（不図示）等で固着されている。
【００１７】
なお、前記棟包み材９で覆われている野地板８（厚さ１２ｍｍのパーティクルボード製）の棟部分には、木桟１２、１３を釘にて取り付け、その上に厚さ９ｍｍの合板１４を取り付けている。そして、棟線を挟んで対向する木桟１３、１３間に合板１５を架け渡し、これら合板１４、１５の上に防水紙１０（アスファルトルーフィング材）を取り付け、防水紙１０の端部は野地板８に予め貼設されている防水紙（不図示）に重ね貼りする。そして、頂部の合板１５の上に木桟１６を取り付け、全体を棟包み材９で覆っている。
また、防水紙１０を取り付けた野地板８の上には、瓦等の屋根仕上げ材１１を葺いて仕上げている。
【００１８】
上記構成になされた屋根散水装置３の施工方法は、棟包み材９の上にカバー材受け６を設置して、木ネジ等で木桟１３、１６に固定し、このカバー材受け６の頂部に散水用配管４を設置する。
そして、この配管４を、野地板８、合板１５、木桟１６、棟包み材９、カバー材受け６を貫通して立ち上げた立上げ管４Ａに、エルボ継手を介して接続する。
なお、立上げ管４Ａの貫通部分は、不定形シーリング剤または防水紙張り付け等により塞ぐ。
その後、上記カバー材受け６の上にカバー材本体７を設置し、カバー材本体７の取付け片７３をカバー材受け６の取付け片５５に嵌合し、セルフドリルネジ（不図示）等で固定する。
【００１９】
（実施例の作用）
上記したように、本実施例の屋根散水装置３においては、散水用配管４からの水を屋根２面の略全面に渡って分散可能な棟カバー５を有しているので、屋根全面に渡って均一に散水できる。
そして、上記棟カバー５は、前記配管４が設置された屋根２の棟部を覆うので、散水用配管４が露出せず建物１の美観を損なわい。
また、棟カバー５が屋根２の棟部を防水状態にして覆っているので、立上げ管４Ａの貫通部から雨水等の浸入を防止でき、防水性を確保できる。
【００２０】
本実施例では、さらに、前記棟カバー５が、屋根２の野地板８の棟部分を覆う棟包み材９に取り付けられるカバー材受け６と、散水用の配管４を収容可能にしてカバー材受け６に取り付けられる長尺のカバー材本体７とからなるので、棟カバー５を強固に屋根２の棟部に取り付けることができる。
そして、前記散水用配管４が、建物１内から屋根２の棟部とカバー材受け６とを貫通する立上げ管４Ａに接続されているので、散水用配管４と立上げ管４Ａのいずれもが外部に露出せず建物１の美観を損なわい。
【００２１】
さらに、棟カバー５は、互いに略平行な複数の仕切り板５１、５２、５３を備え、各仕切り板５１、５２、５３には互いに千鳥状に位置ずれした通孔５１１、５２１、５３１が形成されているので、図３に示すように、配管４の散水孔４１からの水がジグザグ状に分散・流下して屋根２全面に渡って均等に散水できる。
一方、屋根２面の下方から吹き上げる雨水は、前記通孔５１１、５２１、５３１が千鳥状に位置ずれして形成されていることで、その運動エネルギーが減じられ、通孔５３１から通孔５２１、５１１を通って内部に浸入する雨水を削減する。
そして、仕切り板５１の水上側には地盤面に対して略水平な抵抗板５４を備えているので、通孔５１１を通って浸入しても雨水がこの抵抗板５４に遮られ、屋根散水装置３の内部に浸入する雨水を大幅に削減し、防水性を一層確実なものとする。
【００２２】
なお、本実施例では、仕切り板５１、５２、５３と、抵抗板５４が、いずれも、カバー材受け６に一体に取り付けてあるが、逆に、カバー材本体７にあってもよい。
【００２３】
【発明の効果】
請求項１記載の屋根散水装置においては、屋根全面に渡って均一に散水できるので、夏季における屋根面の冷却ばかりでなく、冬季における屋根の積雪融解にも有効である。
そして、散水用配管が露出せず建物の美観を損なわい。
また、配管の貫通部から雨水等の浸入を防止でき、防水性を確保できる。
さらに、前記棟カバーが、カバー材受けとカバー材本体とからなるので、棟カバー材を強固に屋根棟部に取り付けでき、施工性がよい。
そして、前記散水用配管が、建物内を貫通する立上げ管に接続されているので、散水用配管と立上げ管のいずれもが露出せず建物の美観を損なわい。
さらに、配管からの水がジグザグ状に分散・流下するので、屋根面に水道のような跡を残さず、美観がよく、屋根全面に渡って均等に散水できるので、散水効率もすぐれる。
そして、屋根散水装置の内部に逆流する雨水を大幅に削減するので、防水性を一層確実なものとする。
【図面の簡単な説明】
【図１】本発明の一実施例であって、屋根散水装置が設置された建物の斜視図。
【図２】図１の屋根散水装置の断面図。
【図３】カバー材本体を取り外して示す屋根散水装置の斜視図である。
【符号の説明】
１            建物
２            屋根
３            屋根散水装置
４            散水用配管
４Ａ          立上げ管
５            棟カバー
６            カバー材受け
７            カバー材本体
８            野地板
９            棟包み材
５１、５２、５３    仕切り板
５４          抵抗板
５１１、５２１、５３１    通孔
Ｗ            配管からの水
【図１】
0004388659.tif 000002
【図２】
0004388659.tif 000003
【図３】
0004388659.tif 000004